(57)【要約】【課題】重心からずれた位置に回転支点が設けられた回転アンテナを用いるにあたり、回転アンテナが回転時に傾いて他の部材に接触するのを防止することが可能な高周波加熱装置を提供する。【解決手段】回転アンテナ６は、回転支点ｃが回転アンテナ６の重心ｇからずれた位置に形成されており、軸受け凹部６２に挿入されるモーター回転軸７１の端部の外周面は、モーター回転軸７１の端部を軸受け凹部６２に挿入した状態で重心と反対側に位置する部分が、軸方向に延びる平面部７２となっており、また、モーター回転軸７１は、平面部７２と平面部７２から連なる挿入側端面７３とで角部を形成しており、軸受け凹部６２の内面形状は、モーター回転軸７１の外周面の形状と角部の形状とに沿うように形成されている。【選択図】図２
2014041713.tif 000002
【特許請求の範囲】
【請求項１】
被加熱物を収容する加熱室と、
高周波を発振する高周波発振器と、
前記加熱室の下方に設けられ、前記高周波発振器が発振した高周波を前記加熱室に供給する回転アンテナと、
前記回転アンテナに設けられたアンテナ回転軸の軸受け凹部にモーター回転軸が挿入されて連結され、前記回転アンテナを回転させるモーターと
を備え、
前記回転アンテナは、回転支点が前記回転アンテナの重心からずれた位置に形成されており、
前記軸受け凹部に挿入される前記モーター回転軸の端部の外周面は、前記モーター回転軸の端部を前記軸受け凹部に挿入した状態で前記重心と反対側に位置する部分が、軸方向に延びる平面部となっており、また、前記モーター回転軸は、前記平面部と前記平面部から連なる挿入側端面とで角部を形成しており、
前記軸受け凹部の内面形状は、前記モーター回転軸の外周面の形状と前記角部の形状とに沿うように形成されていることを特徴とする高周波加熱装置。
【請求項２】
前記モーター回転軸の前記挿入側端面と、前記軸受け凹部において前記挿入側端面と対向する対向面とが互いに沿う水平面又は傾斜面となっていることを特徴とする請求項１記載の高周波加熱装置。
【請求項３】
前記回転アンテナを略水平に設置したことを特徴とする請求項１又は請求項２記載の高周波加熱装置。
【請求項４】
前記回転アンテナを重心側が反重心側よりも高くなるように傾斜して設置したことを特徴とする請求項１又は請求項２記載の高周波加熱装置。
【発明の詳細な説明】
【技術分野】
【０００１】
本発明は、電子レンジなどの高周波加熱装置に関する。
【背景技術】
【０００２】
従来より、回転アンテナをモーターで回転させ、高周波発振器の発振した高周波を回転アンテナの回転により加熱室内に拡散させて加熱室へ伝播するようにした高周波加熱装置がある。この種の高周波加熱装置では、回転アンテナの形状が各種提案されており、全体略扇状としたもの（例えば、特許文献１参照）や、円形状としたもの（例えば、特許文献２参照）が提案されている。
【先行技術文献】
【特許文献】
【０００３】
【特許文献１】特開平９−１０２３９０号公報（図１、第４頁）
【特許文献２】特開２００１−２５０６７２号公報（図４）
【発明の概要】
【発明が解決しようとする課題】
【０００４】
高周波加熱装置では通常、メンテナンス時にモーターを回転アンテナから容易に取り外しできるように、モーター回転軸が、回転アンテナのアンテナ回転軸に設けた軸受け凹部に抜き指し自在に挿入された構成となっている。つまり、モーター回転軸とアンテナ回転軸とは固定的には接続されていない。このため、特許文献１のようにアンテナ形状が全体略扇状で、その回転支点が回転アンテナの重心からずれていると、回転時に回転アンテナが傾き、周囲の部材と接触して当該周囲の部材を削ったり、スパークしたりといった問題が発生する。
【０００５】
特許文献２では、アンテナ形状が全体略円形であり、その回転支点が回転アンテナの重心に一致している。このように構成した場合は、回転時に回転アンテナが傾くことはない。しかしながら、特許文献２ではアンテナ形状を決めるにあたり、回転支点と回転アンテナの重心との位置関係の制約を受けるという問題がある。
【０００６】
回転アンテナは、高周波を均等に加熱室へ伝播する等の目的で、様々な技術を盛り込んでその形状が決められることが一般的である。よって、重心からずれた位置に回転支点が設けられた回転アンテナを用いてなお、回転時に傾きが生じる点を改善する技術が求められている。
【０００７】
本発明は、以上のような課題を解決するためになされたもので、重心からずれた位置に回転支点が設けられた回転アンテナを用いるにあたり、回転アンテナが回転時に傾いて他の部材に接触するのを防止することが可能な高周波加熱装置を提供することを目的とする。
【課題を解決するための手段】
【０００８】
本発明に係る高周波加熱装置は、被加熱物を収容する加熱室と、高周波を発振する高周波発振器と、加熱室の下方に設けられ、高周波発振器が発振した高周波を加熱室に供給する回転アンテナと、回転アンテナに設けられたアンテナ回転軸の軸受け凹部にモーター回転軸が挿入されて連結され、回転アンテナを回転させるモーターとを備え、回転アンテナは、回転支点が回転アンテナの重心からずれた位置に形成されており、軸受け凹部に挿入されるモーター回転軸の端部の外周面は、モーター回転軸の端部を軸受け凹部に挿入した状態で重心と反対側に位置する部分が、軸方向に延びる平面部となっており、また、モーター回転軸は、平面部と平面部から連なる挿入側端面とで角部を形成しており、軸受け凹部の内面形状は、モーター回転軸の外周面の形状と角部の形状とに沿うように形成されているものである。
【発明の効果】
【０００９】
本発明によれば、回転アンテナがガタ付いて傾くのを抑制でき、回転アンテナが回転時に傾いて他の部材に接触するのを防止することができる。
【図面の簡単な説明】
【００１０】
【図１】本発明の一実施の形態に係る高周波加熱装置の縦断面図である。
【図２】図１の回転アンテナとモーターとの連結部分の概略断面図である。
【図３】図１の回転アンテナの平面図である。
【図４】図１の回転アンテナとモーターの斜視図である。
【図５】（ａ）は、図１のモーターの回転軸の平面図、（ｂ）は、図１のモーターの回転軸の側面図である。
【図６】回転アンテナとモーター回転軸との連結部分の変形例１を示す図である。
【図７】回転アンテナとモーター回転軸との連結部分の変形例２を示す図である。
【図８】回転アンテナとモーター回転軸との連結部分の変形例３を示す図である。
【発明を実施するための形態】
【００１１】
図１は、本発明の一実施の形態に係る高周波加熱装置の縦断面図である。図１及び後述の図において、同一の符号を付したものは、同一の又はこれに相当するものであり、これは明細書の全文において共通している。更に、明細書全文に表れている構成要素の形態は、あくまで例示であってこれらの記載に限定されるものではない。
【００１２】
高周波加熱装置１０は、本体１に設けられた加熱室２と、加熱室２の底部中央部に設けられ、高周波を加熱室２に供給するための給電口３とを備えている。加熱室２の底部中央部に設けられた給電口３の接続開口部は誘電体（例えば、セラミックプレート）からなるカバー４で密閉され、水や吹きこぼれた煮汁等が給電口３に浸入しないようになっている。
【００１３】
給電口３の下方にはアンテナ回転室５が設けられており、アンテナ回転室５内に、モーター７で回転駆動される回転アンテナ６が配置されている。回転アンテナ６は、本体１内で略水平となるようにして設置される。
【００１４】
また、本体１内には加熱室２の下部に隣接して高周波発振器（図示せず）が設けられており、高周波発振器で発生させた高周波を導波管９で給電口３に導き、回転アンテナ６の回転により加熱室２内のあらゆる方向に万遍なく拡散供給するようになっている。
【００１５】
図２は、図１の回転アンテナとモーターとの連結部分の概略断面図である。図３は、図１の回転アンテナの平面図である。図３の複数の一点鎖線は、内側から順にモーター回転軸の外周面、アンテナ回転軸の内周面、アンテナ回転軸の外周面を示している。図４は、図１の回転アンテナとモーターの斜視図である。図５（ａ）は、図１のモーター回転軸の平面図、図５（ｂ）は、図１のモーター回転軸の側面図である。
回転アンテナ６は、高周波を均等に加熱室２へ伝播するように構成されており、図３及び図４に示すように、その重心ｇが回転支点ｃからずれた形状を有している。回転アンテナ６においてモーター７側の面にはアンテナ回転軸６１が突出して設けられており、アンテナ回転軸６１に設けられた軸受け凹部６２に、モーター７のモーター回転軸７１が抜き指し自在に挿入されて回転アンテナ６とモーター７とが連結されている。
【００１６】
モーター回転軸７１は、回転アンテナ６の軸受け凹部６２に挿入された状態において、外周面のうち回転アンテナ６の重心ｇと反対側に位置する部分が、軸方向に延びる平面部７２となっている。図４の例では、円柱状のモーター回転軸７１の外周面の一部を軸方向に平面状に切り欠いて平面部７２が形成されている。また、モーター回転軸７１は、平面部７２と平面部７２から連なる軸方向（挿入方向）の端面（挿入側端面）７３とで角部が形成されており、角部以外の部分は安全面からＣカット又はテーパーで面取りされている。なお、図４では、モーター回転軸７１の軸方向全体において、平面部７２を設けた構成を示しているが、少なくともアンテナ回転軸６１の軸受け凹部６２に挿入される端部に平面部７２が形成されていればよい。
【００１７】
回転アンテナ６は、軸受け凹部６２の内周面の形状がモーター回転軸７１の端部の外周面の形状に沿うように、平面的に見て円の一部を切り欠いた形状に構成されている。すなわち、軸受け凹部６２の内周面において重心ｇと反対側の部分が、軸方向に延びる平面部６３となっている。また、軸受け凹部６２の内面形状は、モーター回転軸７１の平面部７２と平面部７２から連なる挿入側端面７３とで形成された角部の形状に沿うように形成され、軸受け凹部６２内でのモーター回転軸７１のガタ付きが防止されるようになっている。また、軸受け凹部６２においてモーター回転軸７１の挿入側端面７３との対向面６４（図２参照）は、挿入側端面７３に沿うように形成されており、ここでは略水平な水平面となっている。
【００１８】
以上のように構成された高周波加熱装置１０においてモーター回転軸７１が回転して回転アンテナ６が回転すると、回転アンテナ６は図２の矢印に示すように重心ｇ側が下方に傾こうとする。しかし、モーター回転軸７１及び回転アンテナ６の軸受け凹部６２において回転アンテナ６の重心ｇと反対側が平面部６３、７２となっており、更に、軸受け凹部６２の内面形状が、モーター回転軸７１の平面部７２と挿入側端面７３とにより形成される角部の形状に沿うように形成されているため、回転アンテナ６のガタ付いて傾くのを抑制できる。よって、回転アンテナ６を円滑に回転させることができ、回転アンテナ６がアンテナ回転室５内の他の部分に接触してスパークしたり、当該他の部分を削ったり等の不都合を防止できる。
【００１９】
また、回転時の回転アンテナ６の傾きを抑制するにあたり、他の部品を設けて傾きを抑制するのではなく、単に従来からある構成部品の一部の形状に変更を加えただけであるため、低コストで実現できる。
【００２０】
なお、本発明の高周波加熱装置１０は、図１に示した構造に限定されるものではなく、本発明の要旨を逸脱しない範囲で、例えば以下のように種々変形実施可能である。
【００２１】
（変形例１）
図６は、回転アンテナとモーター回転軸との連結部分の変形例１を示す図である。
図６に示すようにモーター回転軸７１の挿入側端面７３と挿入側端面７３に対向する軸受け凹部６２の対向面６４とを、互いに沿う傾斜面としている。このように傾斜面としても、上記と同様の効果を得ることができる。なお、図６では平面部７２の上端辺から上方に立ち上がる傾斜面としているが、傾斜の方向はこの方向に限られない。
【００２２】
（変形例２）
図７は、回転アンテナとモーター回転軸との連結部分の変形例２を示す図である。
変形例２は、回転アンテナ６を、重心側が反重心側より高くなるように傾斜して設けた構成である。このように構成すると、回転時に重心ｇが仮に下がっても、回転アンテナ６がアンテナ回転室５内の他の部分に接触することを防止できる。
【００２３】
（変形例３）
上記変形例２では、回転アンテナ６を傾斜して設けた構成を示したが、このように傾斜すると、性能上のバラツキが生じる可能性がある。このため、図８に示すように、回転アンテナ６を水平となるようにしてもよい。
【符号の説明】
【００２４】
１  本体、２  加熱室、３  給電口、４  カバー、５  アンテナ回転室、６  回転アンテナ、７  モーター、９  導波管、１０  高周波加熱装置、６１  アンテナ回転軸、６２  軸受け凹部、６３  平面部、６４  対向面、７１  モーター回転軸、７２  平面部、７３  挿入側端面、ｃ  回転支点、ｇ  重心。
【図１】
2014041713.tif 000003
【図２】
2014041713.tif 000004
【図３】
2014041713.tif 000005
【図４】
2014041713.tif 000006
【図５】
2014041713.tif 000007
【図６】
2014041713.tif 000008
【図７】
2014041713.tif 000009
【図８】
2014041713.tif 000010